(57)【要約】【課題】  通信状況の影響を受けずに携帯情報端末器の測定が行え、また測定データの確実な送信が行え、携帯情報端末器の性能を十分に発揮させることができる携帯型診断用データ測定送信装置を提供する。【解決手段】  携帯型診断用データ測定送信装置１は、通信回線網７によってサーバ６に接続された携帯情報端末器２と、機械部品からなる診断対象物４が発生する物理的な状況変化量を測定する物理量測定手段３と、Ａ／Ｄ変換手段５とを備える。送信機能部１２ａにより一纏まり分の測定データの送信が完了したか否かを確認する送信確認手段２１と、測定データを一時的に記憶しておくデータ記憶手段１７ａと、送信完了が確認されなかった場合に記憶されている測定データを再送信させる再送信手段２２とを備える。【選択図】        図１
2016042271.tif 000002
【特許請求の範囲】
【請求項１】
広域の通信回線網によってサーバに接続された携帯情報端末器と、機械部品からなる診断対象物が発生する物理的な状況変化量を測定する物理量測定手段と、この物理量測定手段で測定された前記状況変化量の測定データをＡ／Ｄ変換するＡ／Ｄ変換手段とを備え、このＡ／Ｄ変換された測定データを、前記サーバに前記診断対象物を診断させるために、前記携帯情報端末器に設けられた送信機能部により送信する携帯型診断用データ測定送信装置であって、
前記送信機能部により一纏まり分の前記測定データの送信が完了したか否かを確認する送信確認手段と、この送信確認手段で送信完了が確認されるまで、前記Ａ／Ｄ変換された測定データを一時的に記憶しておくデータ記憶手段と、通信状況を常時監視する通信状況監視手段と、前記送信確認手段で送信完了が確認されなかった場合に、前記通信状況監視手段により通信状況が設定許容状態になると、前記データ記憶手段に記憶されている測定データを前記送信機能部に再送信させる再送信手段とを備える携帯型診断用データ測定送信装置。
【請求項２】
請求項１に記載の携帯型診断用データ測定送信装置において、前記携帯情報端末器は、前記サーバから送信される前記診断対象物の診断の結果を画面表示手段に表示させる診断結果表示出力手段を有する携帯型診断用データ測定送信装置。
【請求項３】
請求項１または請求項２に記載の携帯型診断用データ測定送信装置において、前記通信状況監視手段により監視された通信状況が設定された不良状況である場合に前記送信機能部による前記測定データの送信の開始を止めまたは送信を中止させ、前記測定データを前記データ記憶手段に記憶させる通信状況対応送信停止手段を設けた携帯型診断用データ測定送信装置。
【請求項４】
請求項１ないし請求項３のいずれか１項に記載の携帯型診断用データ測定送信装置において、前記Ａ／Ｄ変換手段でＡ／Ｄ変換された測定データを、前記データ記憶手段に記憶に記憶し、この記憶した測定データを一括して前記送信機能部により前記サーバへ送信させる一括送信部を設けた携帯型診断用データ測定送信装置。
【請求項５】
請求項１ないし請求項３のいずれか１項に記載の携帯型診断用データ測定送信装置において、前記Ａ／Ｄ変換手段でＡ／Ｄ変換された測定データを、前記データ記憶手段に記憶に記憶し、この記憶した測定データを分割してその分割分毎に測定データを前記送信機能部により前記サーバへ送信させる分割送信部を設けた携帯型診断用データ測定送信装置。
【請求項６】
請求項１ないし請求項５のいずれか１項に記載の携帯型診断用データ測定送信装置において、前記物理量測定手段は、振動の加速度、音、温度、アコースティックエミッション波、および回転速度のうちの少なくとも一つを測定する手段を含む携帯型診断用データ測定送信装置。
【請求項７】
請求項１ないし請求項６のいずれか１項に記載の携帯型診断用データ測定送信装置において、前記物理量測定手段として、音を測定するマイクを含み、このマイクが、前記携帯情報端末器の内蔵されたものである携帯型診断用データ測定送信装置。
【請求項８】
請求項１ないし請求項７のいずれか１項に記載の携帯型診断用データ測定送信装置において、前記データ記憶手段が、前記携帯情報端末器の外部に備えられる携帯型診断用データ測定送信装置。
【請求項９】
請求項１ないし請求項８のいずれか１項に記載の携帯型診断用データ測定送信装置において、前記携帯情報端末器が、アプリケーションプログラムをインストール可能なＯＳを有する汎用の携帯情報端末器であり、前記送信確認手段および前記再送信手段は、専用のアプリケーションプログラムを前記携帯情報端末器にインストールすることで構成される携帯型診断用データ測定送信装置。
【発明の詳細な説明】
【技術分野】
【０００１】
この発明は、各種の診断対象物、例えば転がり軸受や等速ボールジョイント等につき、データ処理用サーバに診断等を行わせるためのデータを、スマートフォン等の携帯情報端末器を利用して測定し、インターネット等を介して送信する携帯型診断用データ測定送信装置に関する。
【背景技術】
【０００２】
転がり軸受等の異常診断の方法として、振動センサで測定した加速度データから診断する検査が一般的に行われている。また、振動センサで測定した加速度データを携帯情報端末器からサーバに送信し、サーバの高機能を用いて異常診断し、診断結果を携帯情報端末器へ返送するシステムが提案されている（例えば、特許文献１）。
【先行技術文献】
【特許文献】
【０００３】
【特許文献１】特開２０１３−２２８３５２号公報
【発明の概要】
【発明が解決しようとする課題】
【０００４】
携帯情報端末器とインターネットを介したデータ処理サーバとを組み合わせた診断システムは、携帯情報端末器のソフトウェアを簡素化できるため、携帯情報端末器の性能差の影響を受け難いと言う特長がある。その反面、測定データを一旦サーバへ送信することが必要であり、処理速度や使用環境、電波状況など、通信状況の影響を受けてしまう。
【０００５】
通信状況が悪い場合、従来は送受信の処理を自動停止し、オペレータの指示操作を待つ状態となる。通信状況が正常に復帰したことをオペレータが確認できた段階で、オペレータはサーバへのデータ送信を手行う、サーバ内での処理後、携帯情報端末器で診断結果の受信を待つ。
【０００６】
携帯情報端末器で測定データを送信する場合、種々の場所や環境下にある診断対象物を測定しながら送信することになるため、上記のように通信状況が悪い状態でも送信することがある。
測定データの送信は、一般的には測定を行いながら行うが、送信が途切れて上記のように通信状況の正常復帰後に送信を再開した場合、サーバで正しい測定データが得られず、診断の精度が低下する。
【０００７】
この発明の目的は、通信状況の影響を受けずに携帯情報端末器による測定が行え、また測定データの確実な送信が行え、携帯情報端末器の性能を十分に発揮させることができる携帯型診断用データ測定送信装置を提供することである。
【課題を解決するための手段】
【０００８】
この発明の携帯型診断用データ測定送信装置１は、広域の通信回線網７によってサーバ６に接続された携帯情報端末器２と、機械部品からなる診断対象物４が発生する物理的な状況変化量を測定する物理量測定手段３と、この物理量測定手段３で測定された前記状況変化量の測定データをＡ／Ｄ変換するＡ／Ｄ変換手段５とを備え、このＡＤ変換された測定データを、前記サーバ６に前記診断対象物４を診断させるために、前記携帯情報端末器２に設けられた送信機能部１２ａにより送信する携帯型診断用データ測定送信装置であって、
前記送信機能部１２ａにより一纏まり分の前記測定データの送信が完了したか否かを確認する送信確認手段２１と、この送信確認手段２１で送信完了が確認されるまで、前記Ａ／Ｄ変換された測定データを一時的に記憶しておくデータ記憶手段１７ａと、通信状況を常時監視する通信状況監視手段２４と、前記送信確認手段２１で送信完了が確認されなかった場合に、前記通信状況監視手段２４により通信状況が設定許容状態になると、前記データ記憶手段１７ａに記憶されている測定データを前記送信機能部１２ａに再送信させる再送信手段２２とを備える。前記通信状況監視手段２４は、例えば、電波強度と電源に起因する通信状況を監視し、通信許容状態か否かの判定を行う。
【０００９】
この構成によると、一纏まり分の前記測定データの送信が完了したか否かを送信確認手段２１で確認し、送信完了が確認されるまで測定データをデータ記憶手段１７ａに一時的に記憶しておく。そのため、測定データを確実に送信することができ、また通信状況が悪くてサーバ６に対して測定データを送れなくても、次の測定の操作を実行することができる。通信状況監視手段２４は通信状況を常に監視し、再送信手段２２は、通信状況が正常に戻るなどして設定許容状態になると、前記データ記憶手段１７ａに記憶されている測定データをサーバ６へ自動送信する。そのため、サーバ６は診断の処理となるデータ処理を順次行い、その結果を携帯情報端末器２等へ戻すことができる。
このように、結果的に通信状況の影響を受けずに、一纏まり分の測定データの送信を、途切れのない状態で完了させることができ、サーバ６による診断が精度良く行える。また、通信状況が悪くても次の診断対象物４等の測定が行える。
前記「一纏まり分の測定データ」は、例えば、１回の異常診断等の診断に必要な測定時間分のデータであり、タイマ等で適宜設定する。前記一纏まり分の測定データを１個として、前記データ記憶手段１７ａには複数個の測定データを記憶可能としておくが、携帯情報端末器２の基本性能やメモリ搭載量等に合わせて、動作設定を可能としておけば、携帯情報端末器２の性能を十分に発揮できる。
【００１０】
この発明の携帯型診断用データ測定送信装置１は、前記携帯情報端末器２は、前記サーバ６から送信される前記診断対象物４の診断の結果を画面表示手段１０に表示させる診断結果表示出力手段２３を有するものであっても良い。
測定データを送信する携帯情報端末器２は、測定および送信専用とし、別の携帯情報端末器２等に診断結果を表示させても良いが、一般的には、携帯情報端末器２が測定および送信と診断結果の表示との両方との両方の機能を持つことが、測定した現場で診断結果を見ることができて、使い勝手が良い。
【００１１】
この発明において、前記通信状況監視手段２４により監視された通信状況が設定された不良状況である場合に前記送信機能部１２ａによる前記測定データの送信の開始を止めまたは送信を中止させ、前記測定データを前記データ記憶手段１７ａに記憶させる通信状況対応送信停止手段２０を設けても良い。
電波強度または電源に起因する通信状況を測定し、通信状況が不良状況であるときは測定データの送信の開始を止めまたは送信を中止させることで、通信が途切れる可能性の高い場合に送信を行って通信が途切れるような、無駄な送信が回避できる。
【００１２】
この発明において、前記Ａ／Ｄ変換手段５でＡ／Ｄ変換された測定データを、前記データ記憶手段１７ａに記憶に記憶し、この記憶した測定データを一括して前記送信機能部１２ａにより前記サーバ６へ送信させる一括送信部１９ａを設けても良い。
携帯情報端末器２の通信性能が高い場合や、前記一纏まり分の測定データが少ない場合は、通信が途切れる可能性が低いため、一括して送信することで、効率的な送信が行える。
【００１３】
また、これとは逆に、前記Ａ／Ｄ変換手段５でＡ／Ｄ変換された測定データを、前記データ記憶手段１７ａに記憶に記憶し、この記憶した測定データを分割してその分割分毎に測定データを前記送信機能部１２ａにより前記サーバ６へ送信させる分割送信部１９ｂを設けても良い。
携帯情報端末器２の通信性能が低い場合や、前記一纏まり分の測定データが多い場合は、通信が途切れる可能性が高いが、分割して送信することで、その分割分の送信途中で通信が途切れる可能性が低くなり、また再送信も分割分の測定データを送信すれば良いため、結果的には効率的に、また確実に測定データの送信が行える。
【００１４】
この発明において、前記物理量測定手段３は、振動の加速度、音、温度、アコースティックエミッション波（以下、「ＡＥ波と称す場合がある）、および回転速度のうちの少なくとも一つを検出する手段を含むようにしても良い。
振動の加速度は、転がり軸受等の診断対象物４の異常診断が精度良く行え、また異常部位の特定が行い易いため、異常診断では最も多く用いられている。音や温度も、異常診断に用いられることがあり、振動の加速度の診断と併用すれば、診断の精度が向上する。加速度データだけでは、余寿命の推定が行えないが、ＡＥ波によると診断対象物４の内部クラックが検出できるため、その内部クラックの進行の程度をＡＥ波で推定することにより、診断対象物４の余寿命の推定が行える。また、ＡＥ波によっても診断対象物４の異常が診断可能であり、加速度データとは別の観点で異常診断が行える。回転速度は、診断対象物４によっては直接に異常診断に用いることができるが、転がり軸受等の場合、加速度データと回転速度データとを併用することで、より精度の良い異常診断等が行える。
【００１５】
この発明において、前記物理量測定手段３として、音を測定するマイク（マイクロフォン）を含み、このマイクが、前記携帯情報端末器２の内蔵されたものであっても良い。
スマートフォン等の電話機能を持った携帯情報端末器２では、マイクおよびそのＡ／Ｄ用のＡ／Ｄ変換部１５を内蔵しており、この内蔵マイクで測定したデータによっても診断対象物４のある程度の精度の異常診断が行える。そのため、内蔵マイクを用いる場合、外付けのピックアップやＡ／Ｄ変換手段５が不要となり、携帯情報端末器２の単独で診断用データの測定から送信までを行える。
【００１６】
この発明において、前記データ記憶手段１７ａが、前記携帯情報端末器２の外部に備えられていても良い。例えば、前記データ記憶手段１７ａが、携帯情報端末器２とは別体のＡ／Ｄ変換手段５に設けられていても良く、またＳＤカード等の半導体メモリチップ、ＵＳＢメモリ等の携帯情報端末器２の本体に対して着脱可能な記憶手段であっても良い。異常診断等の測定データはデータ量が大きいため、外部のデータ記憶手段１７ａを用いることで、携帯情報端末器２のデータ記憶容量が小さくても適用できる。
【００１７】
この発明において、前記携帯情報端末器２が、アプリケーションプログラムをインストール可能なＯＳ９を有する汎用の携帯情報端末器２であり、前記送信確認手段２１および前記再送信手段２２は、専用のアプリケーションプログラムを前記携帯情報端末器２にインストールすることで構成されるものであっても良い。
携帯情報端末器２は最初から測定専用に設計された専用機であっても良いが、専用のアプリケーションプログラムをインストールすることで、一般のスマートフォンやタブレット型端末を測定用の携帯情報端末器２として用いることができる。
【発明の効果】
【００１８】
この発明の携帯型診断用データ測定送信装置１は、広域の通信回線網７によってサーバに接続された携帯情報端末器２と、機械部品からなる診断対象物４が発生する物理的な状況変化量を測定する物理量測定手段３と、この物理量測定手段３で測定された前記状況変化量の測定データをＡ／Ｄ変換するＡ／Ｄ変換手段５とを備え、このＡＤ変換された測定データを、前記サーバに前記診断対象物４を診断させるために、前記携帯情報端末器２に設けられた送信機能部１２ａにより送信する携帯型診断用データ測定送信装置であって、前記送信機能部１２ａにより一纏まり分の前記測定データの送信が完了したか否かを確認する送信確認手段２１と、この送信確認手段で送信完了が確認されるまで、前記Ａ／Ｄ変換された測定データを一時的に記憶しておくデータ記憶手段１７ａと、通信状況を常時監視する通信状況監視手段２４と、前記送信確認手段２１で送信完了が確認されなかった場合に、前記通信状況監視手段２４により通信状況が設定許容状態になると、前記データ記憶手段１７ａに記憶されている測定データを前記送信機能部１２ａに再送信させる再送信手段２２とを備えるため、通信状況の影響を受けずに携帯情報端末器２による測定が行え、また測定データの確実な送信が行え、携帯情報端末器２の性能を十分に発揮させることができる。
【図面の簡単な説明】
【００１９】
【図１】この発明の一実施形態に係る携帯型診断用データ測定送信装置１の概念構成の説明図である。
【図２】同携帯型診断用データ測定送信装置１の概念構成のブロック図である。
【発明を実施するための形態】
【００２０】
この発明の一実施形態を図１および図２と共に説明する。この携帯型診断用データ測定送信装置１は、携帯情報端末器２と、これに広域の通信回線網７によって接続されたサーバ６とを用いた機械部品診断システムを構成する装置であって、物理量測定手段３と、Ａ／Ｄ変換手段５と、前記携帯情報端末器２とを備える。前記広域の通信回線網７は、例えばインターネット等の情報通信を行う電話回線網等の回線網であって、移動体通信が可能な回線網である。診断対象物４は、例えば、転がり軸受や等速ボールジョイント等の転動体４ａを備えた機械部品である。
【００２１】
携帯情報端末器２は、スマートフォン、タブレット、ノート型パソコン等の携帯情報端末器であり、電話機能は必ずしも備えていなくても良いが、電話網，インターネット等の広域の通信回線網７を介してサーバ６と接続可能で、かつアプリケーションプログラムをダウンロードしてインストール可能なＯＳ（オペレーションプログラム）９（図２）、および液晶表示装置等の画像を表示する画面表示装置２１を有する情報処理機器である。なお、スマートフォンは、上記の携帯情報端末器の定義のうち、電話機能を備えたものを言う。
【００２２】
物理量測定手段３は、診断対象物４が発生する物理的な状況変化量を測定する手段であり、前記物理的な状況変化量である振動の加速度、音、温度、アコースティックエミッション波、および回転速度のうちの少なくとも一つを検出する手段であるセンサ素子３ａを含む。センサ素子３ａは、換言すれば、例えば振動センサ、マイク（マイクロフォン）、温度センサ、ＡＥセンサ、または回転センサである。物理量測定手段３は、図示の例では、センサ素子３ａにピックアップ３ｂを設けて構成される。複数のセンサ素子３ａに一つのピックアップ３ｂを設け、複数種類の状況変化量、例えば、振動の加速度と音、または振動の加速度とＡＥ波、振動の加速度と温度を測定可能としても良い。また、物理量測定手段３は、複数種類準備し、Ａ／Ｄ変換手段５に差し替えるようにしても良い。
【００２３】
Ａ／Ｄ変換手段５は、物理量測定手段３で測定されたアナログ信号の測定データをＡ／Ｄ変換してディジタルデータに変換する手段であり、この例では、携帯情報端末器２とは別体の独立した筐体を持つ機器として構成されている。Ａ／Ｄ変換手段５は、マイクロＵＳＢ（接続インタフェース規格であるＵＳＢ規格の一つ）等の規格に適合した端子５ｃを持つケーブル５ｂにより携帯情報端末器２に差し込み接続される。Ａ／Ｄ変換手段５と物理量測定手段３との接続は、固定的であっても、差し替え可能とされていても良い。あるいはＡ／Ｄ変換手段５と携帯情報端末器２は無線によりデータを送受信しても良い。
【００２４】
前記物理量測定手段３は、必ずしも携帯情報端末器２の外部に設けられている必要はなく、携帯情報端末器２が内蔵のマイク１４を有する場合は、この内蔵のマイク１４を診断用のデータを測定するための物理量測定手段として用いても良い。その場合、携帯情報端末器２に内蔵されてマイク１４の出力をＡ／Ｄ変換するＡ／Ｄ変換部１５が、請求項で言う「Ａ／Ｄ変換手段」として用いられる。
【００２５】
サーバ６は、通信回線網７を用いた通信の制御を行う通信制御手段３１を有し、この他に記憶手段３２、診断手段３３、および診断結果送信手段３４を有する。サーバ６は、１台のコンピュータで構成されていても、また複数台のコンピュータをネットワークで接続したものであっても良い。記憶手段３２は、携帯情報端末器２から送信された測定データを記憶し、また診断対象物４の診断のための診断対象物４の仕様や異常判定用の閾値等を記憶した手段である。
【００２６】
診断手段３３は、携帯情報端末器２から送信されて前記記憶手段３２に記憶された測定データを用いて診断対象物４の診断を行う手段である。診断の内容は、診断対象物４の異常有無の診断や、診断対象物４の残寿命の診断等である。診断手段３３は、診断のための前処理となる各種のデータ解析等のデータ処理についても行う。診断の具体的な内容および診断方法は、前記物理量測定手段３で測定する測定データの種類、例えば振動の加速度、音、温度、ＡＥ波、および回転速度等に応じて適宜に設定される。例えば、診断手段３３は、測定データが振動の加速度データである場合は周波数分析を行い、その分析結果を用いて診断を行い、また測定データがＡＥ波である場合は、エンベロープ処理を行ってその処理結果を用いた診断を行う。
【００２７】
診断結果送信手段３４は、診断手段３３で診断した結果を、その診断用の測定データを送った携帯情報端末器２へ返送する手段である。測定データを送った携帯情報端末器２とは別のアドレスを登録されている携帯情報端末器（図示せず）や管理用のコンピュータ等に送信するようにしても良い。診断結果は、携帯情報端末器２から測定データと共に送信された付帯情報、例えば、測定の日付や、測定した診断対象物４、測定データを識別するための識別符号等と共に、携帯情報端末器２へ返送する。
【００２８】
携帯情報端末器２につき具体的に説明する。携帯情報端末器２は、前述のようにスマートフォン等であって、その基本的な構成として、通信回線網７との通信の制御を行う通信制御手段１２、画像を出力する液晶パネル等の画面表示装置１０、タッチパネル、キーボード、マウス等のオペレータが操作する手入力手段１１、内蔵のマイク１４、このマイク１４で録音した音のデータをＡ／Ｄ変換するＡ／Ｄ変換部１５、アプリケーションプログラムのダウンロードおよびインストールが可能なＯＳ（オペレーションシステム）９、接続インタフェース１６、および記憶手段１７を備えている。接続インタフェース１６は、ＵＳＢ規格等に適合していて、前記Ａ／Ｄ変換手段５の端子５ｃを差し込み接続可能な端子（図示せず）を有している。あるいは前記Ａ／Ｄ変換手段５と携帯情報端末器２はＢｌｕｅｔｏｏｔｈ(登録商標)やＷｉＦｉ等の無線通信手段を用いても良い。
【００２９】
この基本機能を持つ携帯情報端末器２において、専用アプリケーションプログラム１８をインストールすることにより、携帯情報端末器２の構成手段として、通信状況監視手段２４、測定データ送信手段１９、通信状況対応送信停止手段２０、送信確認手段２１、再送信手段２２、および診断結果表示出力手段２３が構成され、また記憶手段１７の一部がデータ記憶手段１７ａとされる。
【００３０】
通信状況監視手段２４は、電波状況や電源、例えば電池の残容量等による通信状況を常に監視する手段である。電波強度等の電波状況の監視手段については、一般的な携帯情報端末器において標準装備されているので、通信状況監視手段２４は、その標準装備の電波状況の監視手段を用い、電波状況のレベルが、この携帯型診断用データ測定送信装置として送信を行うのに適宜設定させた許容できるレベルであるかを判定する機能を加えたものとしても良い。また、電波状況だけでなく、電池の残容量等の電源の状況を監視する手段を設け、電波状況と電源の情報との両方から通信状況を監視する機能を持たせることが好ましい。例えば、電源となる電池の残容量が一纏まり分の測定データの送信に十分であるかを測定する。
【００３１】
測定データ送信手段１９は、物理量測定手段３で測定されてＡ／Ｄ変換後にデータ記憶手段１７ａに記憶された測定データを、通信制御手段１２の送信機能部１２ａを介してサーバ６へ送信させる手段である。送信手段１９は、この例では一括送信部１９ａと分割送信部１９ｂを有する。一括送信部１９ａは、データ記憶手段１７ａに記憶に記憶された一纏まり分の測定データを一括して前記送信機能部１２ａによりサーバ６へ送信させる手段である。前記「一纏まり分の測定データ」は、例えば、１回の異常診断等の診断に必要な測定時間分のデータであり、タイマ等で適宜設定する。分割送信部１９ｂは、データ記憶手段１７ａに記憶に記憶された前記一纏まり分の測定データを分割してその分割分毎に測定データを前記送信機能部１２ａによりサーバ６へ送信させる手段である。一括送信部１９ａと分割送信部１９ｂとは、携帯情報端末器２に設けたモード切換手段（図示せず）により、手入力手段１１からの入力等で選択して使用されるように構成されていても良く、またいずれか一方のみが設けられていても良い。
【００３２】
送信確認手段２１は、前記送信機能部１２ａにより前記一纏まり分の測定データの送信が完了したか否かを確認する手段である。送信確認手段２１は、例えば、データ記憶手段１７ａに記憶された一纏まり分の測定データに付された冗長情報や、通信制御手段１２の持つ通信プロトコルによって、一纏まり分の測定データの送信が完了したか否かを確認する。
【００３３】
通信状況対応送信停止手段２０は、電波強度または電源に起因する通信状況を測定し、通信状況が設定された不良状況である場合に、送信機能部１２ａによる前記測定データの送信の開始を止め、または送信を中止させ、前記測定データを前記データ記憶手段１７に記憶させる手段である。通信状況対応送信停止手段２０は、図示は省略するが、前記通信状況の確認を行う通信状況部と、この通信状況部の確認結果に応じて、通信状況が良好である場合は送信を行わせ、送信状況が不良である場合は前記送信の開始を止める処理、または送信を中止する処理を行う通信状況対応処理部とからなる。
【００３４】
再送信手段２２は、前記送信確認手段２１で送信完了が確認されなかった場合に、通信状況が正常に戻るなどして通信状況監視手段２４の設定許容状態になると、前記データ記憶手段１７ａに記憶されている前記一纏まり分の測定データを前記送信機能部１２ａに再送信させる手段である。
【００３５】
診断結果表示出力手段２３は、前記サーバ６から送信される前記診断対象物４の診断の結果を画面表示手段１０に表示させる手段である。
【００３６】
上記構成の動作を、各手段の機能の補足と共に説明する。一纏まり分の前記測定データの送信が完了したか否かを送信確認手段２１で確認し、送信完了が確認されるまで測定データをデータ記憶手段１７ａに一時的に記憶しておく。そのため、測定データを確実に送信することができ、また通信状況が悪くてサーバ６に対して測定データを送れなくても、次の測定の操作を実行することができる。通信状況監視手段２４は通信状況を常に監視し、再送信手段２２は、通信状況が正常に戻るなどして設定許容状態になると、前記データ記憶手段１７ａに記憶されている測定データをサーバ６へ自動送信する。そのため、サーバ６は診断の処理となるデータ処理を順次行い、その結果を携帯情報端末器２等へ戻すことができる。
このように、結果的に通信状況の影響を受けずに、一纏まり分の測定データの送信を、途切れのない状態で完了させることができ、サーバ６による診断が精度良く行える。また、通信状況が悪くても次の診断対象物４等の測定が行える。
前記「一纏まり分の測定データ」は、例えば、１回の異常診断等の診断に必要な測定時間分のデータであり、タイマ（図示せず）等で適宜設定する。携帯情報端末器２の基本性能やメモリ搭載量等に合わせて、動作設定を可能としておけば、携帯情報端末器２の性能を十分に発揮できる。
【００３７】
また、通信状況対応送信停止手段２０は、通信状況監視手段２４による監視の結果、通史状況が不良状況である場合は、送信機能部１２ａによる測定データの送信の開始を止め、または送信途中であっても予め中止させ、前記測定データを前記データ記憶手段１７ａに記憶させる。これにより、通信が途切れる可能性の高い場合に多くの測定データの送信を行ってから通信が途切れるような、無駄な送信が回避できる。
【００３８】
測定データを送信する場合、一括送信部１９ａによる一括送信と、分割送信部１９ｂによる分割送信とを、オペレータが任意にモード選択して、または予め設定しておいて使い分けても良い。一括送信部１９ａは、Ａ／Ｄ変換手段５でＡ／Ｄ変換された測定データを、データ記憶手段１７ａに記憶に記憶し、この記憶した測定データを一括して前記送信機能部１２ａにより前記サーバ６へ送信させる。携帯情報端末器２の通信性能が高い場合や、前記一纏まり分の測定データが少ない場合は、あるいは通信状況が非常に良い場合等は、通信が途切れる可能性が低いため、一括して送信することで、効率的な送信が行え、通信時間が短縮できる。
なお、データ記憶手段１７ａに記憶されている測定データは、オペレータの判断により不要と判断するものを、手入力手段１１等からの操作によって任意に削除できるようにしておくことが好ましく、これより、一括送信モードを選択した際の、より一層の通信時間の短縮を図るもとが可能となる。
【００３９】
分割送信部１９ｂは、Ａ／Ｄ変換手段５でＡ／Ｄ変換された測定データをデータ記憶手段１７ａに記憶に記憶し、この記憶した測定データを分割してその分割分毎に測定データを前記送信機能部１２ａによりサーバ６へ送信させる。携帯情報端末器２の通信性能が低い場合や、前記一纏まり分の測定データが多い場合、電波状況が若干悪い場合は、通信が途切れる可能性が高いが、分割して送信することで、その分割分の送信途中で通信が途切れる可能性が低くなり、また再送信も分割分の測定データを送信すれば良いため、結果的には効率的に、また確実に測定データの送信が行える。一纏まり分の測定データを分割する方法や分割個数は、任意に設定すればよい。
【００４０】
前記物理量測定手段３は、振動の加速度、音、温度、アコースティックエミッション波（以下、「ＡＥ波と称す場合がある）、および回転速度のうちの少なくとも一つを検出するセンサ、例えば、振動センサ、マイク、温度センサ、ＡＥセンサ、または回転センサである。
振動の加速度は、転がり軸受等の診断対象物４の異常診断が精度良く行え、また異常部位の特定が行い易いため、異常診断では最も多く用いられている。音や温度も、異常診断に用いられることがあり、振動の加速度の診断と併用すれば、診断の精度が向上する。加速度データだけでは、余寿命の推定が行えないが、ＡＥ波によると診断対象物４の内部クラックが検出できるため、その内部クラックの進行の程度をＡＥ波で推定することにより、診断対象物４の余寿命の推定が行える。また、ＡＥ波によっても診断対象物４の異常が診断可能であり、加速度データとは別の観点で異常診断が行える。回転速度は、診断対象物４によっては直接に異常診断に用いることができるが、転がり軸受等の場合、加速度データと回転速度データとを併用することで、より精度の良い異常診断等が行える。
【００４１】
前記物理量測定手段３として、内蔵のマイク１４を用いる場合は、外付けのピックアップ３ａやＡ／Ｄ変換手段５が不要となり、携帯情報端末器２の単独で診断用データの測定から送信までを行える。スマートフォン等の電話機能を持った携帯情報端末器２では、マイクおよびそのＡ／Ｄ用のＡ／Ｄ変換部１５を内蔵しており、これらを利用する。内蔵のマイク１４によると指向性が低くて集音性が悪く、また高音質を得ることが難しいが、用途によっては十分に異常診断に利用できる。例えば、外付けの物理量測定手段３として振動センサを用い、振動の測定データと、内蔵のマイク１４による音の測定データとの両方を送信するようにすれば、物理量測定手段３を追加することなく、振動と音との両方で異常診断が行える。
【００４２】
前記データ記憶手段１７ａは、携帯情報端末器２の本体内に設けられた記憶素子であっても良いが、携帯情報端末器２の外部に備えられていても良い。例えば、前記データ記憶手段１７ａが、携帯情報端末器２とは別体のＡ／Ｄ変換手段５に設けられていても良く、またＳＤカード等の半導体メモリチップ、ＵＳＢメモリ等の携帯情報端末器２の本体に対して着脱可能な記憶手段であっても良い。異常診断等の測定データはデータ量が大きいため、外部のデータ記憶手段１７ａを用いることで、携帯情報端末器２のデータ記憶容量が小さくても適用できる。
【００４３】
携帯情報端末器２は最初から測定専用に設計された専用機であっても良いが、専用のアプリケーションプログラムをインストールすることで、一般のスマートフォンやタブレット型端末を測定用の携帯情報端末器２として用いることができる。
【００４４】
また、携帯情報端末器２は、サーバ６から送信される前記診断対象物４の診断の結果を受信機能部１２ｂで受信して診断結果表示出力手段２３により画面表示手段１０に表示させる。測定データを送信する携帯情報端末器２は、測定および送信専用とし、別の携帯情報端末器２等に診断結果を表示させても良いが、一般的には、携帯情報端末器２が測定および送信と診断結果の表示との両方との両方の機能を持つことが、測定した現場で診断結果を見ることができて、使い勝手が良い。
【符号の説明】
【００４５】
１…携帯型診断用データ測定送信装置
２…携帯情報端末器
３…物理量測定手段
４…診断対象物
５…Ａ／Ｄ変換手段
６…サーバ
７…通信回線網
９…ＯＳ
１０…画面表示手段
１２ａ…信機能部
１４…マイク
１５…Ａ／Ｄ変換部
１７ａ…データ記憶手段
１９ａ…一括送信部
１９ｂ…分割送信部
２０…通信状況対応送信停止手段
２１…送信確認手段
２２…再送信手段
２３…診断結果表示出力手段
【図１】
2016042271.tif 000003
【図２】
2016042271.tif 000004